(57)【特許請求の範囲】
【請求項１】
錘本体（Ａ）の軸方向一端に道糸（Ｂ）を結び、釣り針（Ｄ）を結ぶ他端側が水中で下方になるように吊り下げられ、この錘本体（Ａ）の上下動により釣り上げる釣り用錘において、
前記錘本体（Ａ）を棒状に形成して、その軸方向略中央のみに集魚部（１）を配置し、この集魚部（１）より上方に配置されて道糸（Ｂ）を結ぶ道糸側部（２）の重量を、該集魚部（１）より下方に配置される針側部（３）の重量に比べて重く形成し、この針側部（３）に対して釣り針（Ｄ）を、その針先（Ｄ１）が集魚部（１）に届くように揺動自在に連結し、該錘本体（Ａ）を上下動させることで、下方の針側部（３）を上方へ揺動して釣り針（Ｄ）の針先（Ｄ１）を集魚部（１）に接近させるようなバランス配置としたことを特徴とする釣り用錘。
【請求項２】
前記集魚部（１）が鏡面体である請求項１記載の釣り用錘。
【請求項３】
前記集魚部（１）が板状の鏡面体であり、この板状鏡面体（１ａ）が嵌合する凹部（１ｂ）を形成し、この凹部（１ｂ）内に板状鏡面体（１ａ）を収納して、その表面を透明なカバー（１ｃ）で密閉状に被覆した請求項１または２記載の釣り用錘。
【発明の詳細な説明】
【０００１】
【発明の属する技術分野】
本発明は、例えば鱈のような魚やイカなどをシャクリ動作により釣り上げるために使用する釣り用錘に関する。
詳しくは、棒状に形成された錘本体の軸方向一端に道糸を結び、釣り針を結ぶ他端側が水中で下方になるように吊り下げられる釣り用錘に関する。
【０００２】
【従来の技術】
従来、この種の釣り用錘として、錘本体の全体を表面が反射する金属で形成することにより、水中で光を反射させて魚を引き寄せるものや、更に集魚機能を高めるため、その道糸側に合成樹脂製の鏡面体を固着したものがある。
これら錘本体の重量バランスは、全体が金属製である場合、道糸側と針側で略均一であり、道糸側に合成樹脂製の鏡面体を固着した場合には、針側の方が道糸側の方より重かった。
【０００３】
【発明が解決しようとする課題】
しかし乍ら、このような従来の釣り用錘では、その重量バランスが道糸側と針側で略均一であるか又は針側の方が道糸側の方より重いため、シャクリ動作で錘本体を上下動させても、錘本体は針側を下に向けたまま大きく姿勢が変化せず、釣り針は錘本体の下方に離れて位置することが多かった。
その結果、錘本体に集魚機能があったとしても、それより下方に離れた釣り針には魚が掛かり難いというという問題があった。
【０００４】
本発明のうち請求項１記載の発明は、集魚部に引き寄せられた魚を確実に釣ることを目的としたものである。
請求項２記載の発明は、請求項１に記載の発明の目的に加えて、集魚部の集魚機能を向上させることを目的としたものである。
請求項３記載の発明は、請求項１または２に記載の発明の目的に加えて、鏡面体の反射機能の低下を防止することを目的としたものである。
【０００５】
【課題を解決するための手段】
前述した目的を達成するために、本発明のうち請求項１記載の発明は、錘本体Ａを棒状に形成して、その軸方向略中央のみに集魚部１を配置し、この集魚部１より上方に配置されて道糸を結ぶ道糸側部２の重量を、該集魚部１より下方に配置される針側部３の重量に比べて重く形成し、この針側部３に対して釣り針Ｄを、その針先Ｄ１が集魚部１に届くように揺動自在に連結し、該錘本体Ａの上下動により、下方の針側部３を上方へ揺動して釣り針Ｄの針先Ｄ１を集魚部１に接近させるようなバランス配置としたことを特徴とするものである。
請求項２記載の発明は、請求項１記載の発明の構成に、前記集魚部１が鏡面体である構成を加えたことを特徴とする。
請求項３記載の発明は、請求項１または２記載の発明の構成に、前記集魚部１が板状の鏡面体であり、この板状鏡面体１ａが嵌合する凹部１ｂを形成し、この凹部１ｂ内に板状鏡面体１ａを収納して、その表面を透明なカバー１ｃで密閉状に被覆した構成を加えたことを特徴とする。
【０００６】
【作用】
請求項１の発明は、水中に投入して静止させた状態で、道糸Ｂと棒状の錘本体Ａと釣り針Ｄが一直線状に吊り下げられて、錘本体Ａの略中央に配置された集魚部１と釣り針Ｄが遠く離れ、シャクリ動作で道糸Ｂを介して錘本体Ａが上下動することにより、集魚部１を中心として重量バランスの重い上方の道糸側部２が下方へ揺動すると同時に、重量バランスの軽い下方の針側部３が上方へ揺動し、これらの揺動に伴って釣り針Ｄの針先Ｄ１が集魚部１に接近するものである。
請求項２の発明は、請求項１記載の構成に対して、前記集魚部１が鏡面体である構成を追加したので、集魚部１として鏡面体は反射光が遠くにいる魚にも届く。
請求項３の発明は、請求項１または２記載の構成に対して、前記集魚部１が板状の鏡面体であり、この板状鏡面体１ａが嵌合する凹部１ｂを形成し、この凹部１ｂ内に板状鏡面体１ａを収納して、その表面を透明なカバー１ｃで密閉状に被覆した構成を追加したので、板状鏡面体１ａが収納された凹部１ｂの周縁と透明なカバー１ｂとを密着させることにより、板状鏡面体１ａに水が浸入しない。
【０００７】
【発明の実施の形態】
以下、本発明の実施例を図面に基づいて説明する。
この実施例は、図１及び図２に示す如く、錘本体Ａの一端に開穿された通孔Ａ１に道糸Ｂを結び、他端側に突設された仕掛け取付部Ａ２に縒り戻しＣ１及びハリスＣ２を介して釣り針Ｄが連結されることにより、水中における静止状態でこれらハリスＣ２及び釣り針Ｄが下方になるように吊り下げられる場合を示すものである。
【０００８】
上記錘本体Ａは棒状に形成されて、その軸方向略中央に集魚部１を配置し、この集魚部１より上方の前記通孔Ａ１側に道糸側部２を配設し、該集魚部１より下方の前記仕掛け取付部Ａ２側に針側部３を配設する。
【０００９】
本実施例の場合、この集魚部１は、合成樹脂で構成された複数の層を積層して円柱状に形成し、道糸側部２及び針側部３は、表面が反射する例えば胴やステンレスなどの金属で該集魚部１と同径の円柱状に形成し、これら集魚部１と道糸側部２及び針側部３を、例えばネジなどの固着手段４で相互に連結して一体化することにより、錘本体Ａが構成されている。
【００１０】
詳しく説明すれば、上記集魚部１を構成する複数層の表裏どちらか一方か又は両方には、板状の鏡面体１ａを配置し、図示例の場合には、この板状鏡面体１ａが、錘本体Ａの軸方向へ長い小判型に形成されて、中心位置に部分的に配置される。
【００１１】
この板状鏡面体１ａは、その裏面に銀色の反射面を形成して、その上に樹脂などの保護膜を塗った従来周知構造のものであり、更に集魚機能を高めるため、その表面を部分的に異なる方向へ反射する例えばダイヤクリスタルなどで構成することが望ましい。
なお、板状鏡面体１ａに保護膜が無い場合や保護膜が薄くて十分な反射機能を維持不能な場合には、該板状鏡面体１ａの下層を例えば黒色などに着色しても良い。
【００１２】
また、上記板状鏡面体１ａの反射面と保護膜との間か又は黒色などに着色された下層との間に水が浸入すると、反射機能が低下するため、本実施例では、この板状鏡面体１ａの下層に該板状鏡面体１ａが嵌合する凹部１ｂを形成し、この凹部１ｂ内に板状鏡面体１ａを収納して、その表面を例えばアクリルなどの透明な構成樹脂からなるカバー１ｃで密閉状に被覆している。
【００１３】
更に必要に応じて、上記板状鏡面体１ａの下層を魚が好む色や模様を追加したり、これらに加えて比較的に小さなミラー部を多数分散させて配置しても良い。
【００１４】
一方、前記道糸側部２と針側部３の重量バランスは、道糸側部２を針側部３より重く形成し、本実施例の場合には、道糸側部２と針側部３を共に管状に形成し、道糸側部２を針側部３より長く形成して、夫々の内部に鉛５を詰めることにより、両者の重量バランスを６．５：３．５に設定している。
【００１５】
次に、斯かる釣り用錘の作動について説明する。
先ず、水中に投入して静止させた状態では、図１及び図２に示す如く、道糸Ｂと錘本体ＡとハリスＣ２及び釣り針Ｄが一直線状に吊り下げられ、ここの状態では、錘本体Ａの略中央に形成された集魚部１と釣り針Ｄが遠く離れている。
【００１６】
この静止状態からシャクリ動作を開始させ、道糸Ｂを介して錘本体Ａが上下動されると、その下降時において、図３（ａ）に示す如く、集魚部１を中心として重量バランスの重い上方の道糸側部２が下方へ揺動し始め、これと同時に、重量バランスの軽い下方の針側部３が上方へ揺動し始める。
【００１７】
その後の下降により、図３（ｂ）に示す如く、道糸側部２及び針側部３は揺動し続け、そして、これらの揺動が終わることには、図３（ｃ）に示す如く、それらの慣性で釣り針Ｄの針先Ｄ１が集魚部１に最も接近する。
その結果、集魚部１に引き寄せられた魚を確実に釣ることができる。
【００１８】
更に本実施例では、前記集魚部１が鏡面体であるため、その反射光が遠くにいる魚にも届くので、集魚部１の集魚機能を向上させることできるという利点がある。
【００１９】
また、前記集魚部１が板状の鏡面体であり、この板状鏡面体１ａが嵌合する凹部１ｂを形成し、この凹部１ｂ内に板状鏡面体１ａを収納して、その表面を透明なカバー１ｃで密閉状に被覆したため、板状鏡面体１ａが収納された凹部１ｂの周縁と透明なカバー１ｂとを密着させれば、板状鏡面体１ａに水が浸入しない。その結果、鏡面体１の反射機能が低下するのを防止できるという利点がある。
【００２０】
尚、前示実施例では、錘本体Ａの一端に開穿された通孔Ａ１に道糸Ｂを結び、他端側に突設された仕掛け取付部Ａ２に縒り戻しＣ１及びハリスＣ２を介して釣り針Ｄが連結される場合を示したが、これに限定されず、例えばハリスＣ２に代えた連結部材で釣り針Ｄを連結するなど、道糸Ｂ及び釣り針Ｄの連結構造は他の構造でも良い。
【００２１】
更に、前記集魚部１の構造は図示したものに限定されず、釣る魚の特徴に合わせて、例えば集魚部１の軸方向の寸法を短くするなど、他の構造であっても良い。
【００２２】
【発明の効果】
以上説明したように、本発明のうち請求項１記載の発明は、水中に投入して静止させた状態で、道糸Ｂと棒状の錘本体Ａと釣り針Ｄが一直線状に吊り下げられて、錘本体Ａの略中央に配置された集魚部１と釣り針Ｄが遠く離れ、シャクリ動作で道糸Ｂを介して錘本体Ａが上下動することにより、集魚部１を中心として重量バランスの重い上方の道糸側部２が下方へ揺動すると同時に、重量バランスの軽い下方の針側部３が上方へ揺動し、これらの揺動に伴って釣り針Ｄの針先Ｄ１が集魚部１に接近するので、集魚部１に引き寄せられた魚を確実に釣ることができる。
従って、集魚部１の集魚機能が高ければ、高いほど多量の魚を釣り上げられる。
【００２３】
請求項２の発明は、請求項１の発明の効果に加えて、集魚部１として鏡面体は反射光が遠くにいる魚にも届くので、集魚部１の集魚機能を向上させることができる。
【００２４】
請求項３の発明は、請求項１または２の発明の効果に加えて、板状鏡面体１ａが収納された凹部１ｂの周縁と透明なカバー１ｂとを密着させることにより、板状鏡面体１ａに水が浸入しないので、鏡面体の反射機能が低下するのを防止できる。
【図面の簡単な説明】
【図１】本発明の一実施例を示す釣り用錘の一部切欠側面図図である。
【図２】同側面図である。
【図３】（ａ）〜（ｃ）は作動状態を示す縮小側面図である。
【符号の説明】
Ａ  錘本体                        Ｂ  道糸
Ｄ  釣り針                        Ｄ１  針先
１  集魚部                        １ａ  板状鏡面体
１ｂ  凹部                        １ｃ  カバー
２  道糸側部                      ３  針側部
【図１】
0003548726.tif 000002
【図２】
0003548726.tif 000003
【図３】
0003548726.tif 000004